(57)【特許請求の範囲】
【請求項１】
係合部材とこの係合部材に係脱可能に係合する中留本体とを坦持する中留坦持手段と、前記中留本体に設けられたプッシュボタンの押圧部を内側に押すことにより前記係合部材との係合を解除するプッシュボタン機構部とを備えた装身具の中留構造において、前記中留本体の装身具長手方向に沿う側壁部の外面に、前記中留本体の表面部と接する角部側から前記側壁部の端部側に向かって装身具長手方向にスカートのように末広がりに広がり、且つ前記角部側から前記側壁部の端部側に向かって装身具短手方向に傾斜する三次元の傾斜凹部を形成し、前記中留本体の前記側壁部に、前記傾斜凹部内に位置するボタン導出口を形成して、前記ボタン導出口より前記プッシュボタンの前記押圧部を突出させたことを特徴とする装身具の中留構造。
【請求項２】
前記三次元の傾斜凹部は、前記中留本体の装身具長手方向に沿う両側壁部の外面に設けられている請求項１記載の装身具の中留構造。
【請求項３】
前記プッシュボタンの前記押圧部が、前記中留本体の両側の前記側壁部の外面より突出していない請求項１又は請求項２記載の装身具の中留構造。
【請求項４】
前記中留坦持手段が、シングルプッシュ中留、二つ折れプッシュ中留、三つ折れプッシュ中留、観音開きプッシュ中留のいずれかである請求項１記載又は請求項２又は請求項３記載の装身具の中留構造。
【発明の詳細な説明】
【０００１】
【発明の属する技術分野】
本発明は、腕時計バンド、ブレスレット等の手首に巻回されて装着される装身具に使用される中留構造に関する。
【０００２】
【従来の技術】
従来のこの種の装身具の中留構造として、一方及び他方のプッシュボタンの押圧部を内側に押すことにより一方及び他方のプッシュボタンのそれぞれの係合部間を開いて係合部材との係合を解除するプッシュボタン機構部を有する中留本体を備えた構造が一般的である。尚、一つのプッシュボタンを有し、このプッシュボタンを内側に押すことにより、プッシュボタンの係合部と係合部材との係合を解除するプッシュボタン機構部を有する中留本体を備えたものもある。
【０００３】
このような装身具の中留構造の場合、中留本体の装身具短手方向の両端部にボタン導出口を形成して、これらボタン導出口より一方及び他方のプッシュボタンの前記押圧部を突出させていた。
【０００４】
しかしながら、一方及び他方のプッシュボタンの押圧部が、中留本体の装身具短手方向の両端部から突出（出っ張る）していると、装身具の携帯時に、プッシュボタンの押圧部が物に当たって、一方及び他方のプッシュボタンが押されることがあり、装身具が知らぬ間に手首から脱落して紛失してしまうことがあった。
【０００５】
このような脱落紛失事故を防ぐために、例えば、実公昭６１−４２４０５号公報に開示されているように中留本体の外側に枠体をばね棒により回転自在に装着し、枠体の下辺の内側に凹部を設け、この枠体を中留本体に重ねることにより、凹部に一方及び他方のプッシュボタンの押圧部を挿入して、装身具の携帯時に、物に当たっても一方及び他方のプッシュボタンが押し込まれないようにしたものがあった。
【０００６】
【発明が解決しようとする課題】
しかしながら、上記従来の中留構造にあっては、装身具を外すときに、枠体を手動によって引き起こさなければならないので、操作が面倒であって、係合部材と一方及び他方のプッシュボタンの係合部との係合をワンタッチで解除できるようにしても余り意味がない。また、使用中に枠体が振動等により回動してプッシュボタンに対する規制がなくなってしまう虞があったし、外観意匠上の問題もあった。
【０００７】
本発明は上記の問題点に着目して成されたものであって、その目的とするところは、従来例の装身具の中留構造が備える枠体が不要になって、部品点数が少なくなるばかりか、デザインを向上させることができるし、必要量のボタン操作が可能になる装身具の中留構造を提供することにある。
【０００８】
【課題を解決するための手段】
上記の目的を達成するために、請求項１の発明に係わる装身具の中留構造は、係合部材とこの係合部材に係脱可能に係合する中留本体とを坦持する中留坦持手段と、前記中留本体に設けられたプッシュボタンの押圧部を内側に押すことにより前記係合部材との係合を解除するプッシュボタン機構部とを備えた装身具の中留構造において、前記中留本体の装身具長手方向に沿う側壁部の外面に、前記中留本体の表面部と接する角部側から前記側壁部の端部側に向かって装身具長手方向にスカートのように末広がりに広がり、且つ前記角部側から前記側壁部の端部側に向かって装身具短手方向に傾斜する三次元の傾斜凹部を形成し、前記中留本体の前記側壁部に、前記傾斜凹部内に位置するボタン導出口を形成して、前記ボタン導出口より前記プッシュボタンの前記押圧部を突出させたことを特徴とする。
【０００９】
かかる構成により、プッシュボタンの押圧部は傾斜凹部内に位置するために、これらプッシュボタンの押圧部が中留本体の側壁部から出っ張ることがない。したがって、装身具の携帯時に、プッシュボタンの押圧部が物に当たって、プッシュボタンが押されるという事故を防ぐことができる。このために、従来例の装身具の中留構造が備える枠体が不要になって、部品点数が少なくなるばかりか、デザインを向上させることができる。
【００１０】
しかも、傾斜凹部は、前記中留本体の表面部と接する角部側から前記側壁部の端部側に向かって装身具短手方向に傾斜する凹部であるために、押圧部を指で押すと、傾斜凹部の傾斜に沿って押圧部を押すことができるため、必要量のボタン操作が可能になる。更に、前記傾斜凹部が、上記した三次元の凹部であることにより、押圧部を指で押すと、三次元の傾斜凹部の傾斜に沿って押圧部を押すことができるため、より確実に必要量のボタン操作が可能になる。
【００１１】
また、上記の目的を達成するために、請求項２の発明に係わる装身具の中留構造は、請求項１記載の装身具の中留構造において、前記三次元の傾斜凹部は、前記中留本体の装身具長手方向に沿う両側壁部の外面に設けられている。
【００１２】
かかる構成により、上記した請求項１の発明の作用と同様な作用を奏し得るばかりか、前記中留本体の装身具長手方向に沿う両側壁部の外面に前記三次元の傾斜凹部が形成されているので、腕時計を手首から外す場合、一方及び他方のプッシュボタンの押圧部を親指と人差し指で挟んで内側に押すことがより安定して三次元の傾斜凹部の傾斜に沿って押圧部を押すことができるため、より確実に必要量のボタン操作が可能になる。
【００１３】
また、上記の目的を達成するために、請求項３の発明に係わる装身具の中留構造は、請求項１又は請求項２記載の装身具の中留構造において、前記プッシュボタンの前記押圧部が、前記中留本体の前記側壁部の外面より突出していない。
【００１４】
かかる構成により、上記した請求項１の発明の作用と同様な作用を奏し得るばかりか、プッシュボタンの押圧部の、中留本体の側壁部から出っ張る量は皆無であり、装身具の携帯時に、プッシュボタンの押圧部が物に当たって、プッシュボタンが押されるという事故をより確実に防ぐことができる。このために、従来例の装身具の中留構造が備える枠体が不要になって、部品点数が少なくなるばかりか、デザインを向上させることができる。
【００１５】
また、上記の目的を達成するために、請求項４の発明に係わる装身具の中留構造は、請求項１又は請求項２又は請求項３記載の装身具の中留構造において、前記中留坦持手段が、シングルプッシュ中留、二つ折れプッシュ中留、三つ折れプッシュ中留、観音開きプッシュ中留のいずれかである。
【００１６】
かかる構成により、上記した請求項１の発明の作用と同様な作用を奏し得るばかりか、従来の中留構造とほぼ同じ製品化が可能になる。
【００１７】
【発明の実施の形態】
以下、本発明の実施の形態を図面に基づいて説明する。
【００１８】
（第１の実施例）
図１は本発明に係わる装身具の中留構造（第１の実施例）の斜視図、図２同中留構造の断面図、図３は図２のＸ−Ｘ線に沿う断面図、図４は図３のＹ−Ｙ線に沿う断面図である。
【００１９】
本発明に係わる中留構造を組み付けた装身具である時計バンド構造は、中留坦持手段としての観音開きタイプの中折れ部材１と、プッシュ中留機構Ａと、時計ケース（図示せず）の一方のバンド取付部（図示せず）に連結された一方の装飾帯であるバンド部材５０と、時計ケースの他方のバンド取付部（図示せず）に連結された他方の装飾帯であるバンド部材５１とから大略構成してある。
【００２０】
前記中折れ部材１は、下板部材２と一方の中板部材３と他方の中板部材４とから構成してある。すなわち、下板部材２は手首の曲面に沿うて湾曲した短冊状の部材本体２Ａを有しており、この部材本体２Ａには、その中央部位２Ｂを挾んだ左右に中板挿入用孔部５Ａ、５Ｂが形成してあり、中央部位２Ｂにはその中央に係合手段である係合ピン６が設けてある。この係合ピン６は軸部６ａの先端に傘部６ｂを形成したものである。下板部材２の右端部には一方の中板部材３の左端部が連結ピン７により折曲可能に連結してあり、下板部材２の左端部には他方の中板部材４の右端部が連結ピン８により折曲可能に連結してある。
【００２１】
そして、他方の中板部材４の左端部には連結部９が形成してあり、この連結部９に連結ピン９Ａで前記バンド部材５１の先かん駒５１Ａに折曲可能に連結してある。
【００２２】
前記プッシュ中留機構Ａは、表カバーを兼用する中留本体１０と、プッシュボタン機構部１５とを有している。中留本体１０には、図５乃至図７に示すように四角形状の表面部１１のバンド短手方向の両側部に、バンド長手方向に沿う側壁部１２が形成してあり、これらの側壁部１２の外面には、表面部１１との角部１２ａ側から側壁部１２の端部１２ｂ側に向かってバンド長手方向にスカートのように末広がりに広がり、且つ前記角部１２ａ側から側壁部１２の端部１２ｂ側に向かってバンド短手方向に傾斜する三次元的な傾斜凹部１３が形成してある。この傾斜凹部１３により前記角部１２ａは平面視で円弧状に抉れて円弧部１３ａが形成してある。そして、中留本体１０の側壁部１２に矩形状のボタン導出口１４が形成してある。
【００２３】
そして、中留本体１０の側壁部１２間にはボックス状のケース１６が装着してある。このケース１６は、そのバンド短手方向の両端部が開口しており、このケース１６の内部がプッシュボタン装入部１７に成されていて、図３に示すようにケース１６の両端部の開口部１７ａがボタン導出口１４に一致している。また、ケース１６の裏面部に中央には図２に示すように挿入孔１８が設けてある。
【００２４】
前記プッシュボタン機構部１５は一方及び他方のプッシュボタン１９、２０と、２個のスプリング２１とを備えており、一方及び他方のプッシュボタン１９、２０は、端部には押圧部２２が、先部の一端側には切欠き部２３がそれぞれ形成してあって、この切欠き部２３の先側に円弧形状の係合部２４が、切欠き部２３の元側にはストッパ用孔部２５がそれぞれ形成してあり、また、一方及び他方のプッシュボタン１９、２０には、一端側に位置する元側ばね受け部２６と他端側に位置する先側ばね受け部２７とが形成してある。
【００２５】
そして、プッシュボタン装入部１７には、一端側から一方のプッシュボタン１９が、他端側から他方のプッシュボタン２０がそれぞれ挿入してあって、一方のプッシュボタン１９のストッパ用孔部２５には、前記プッシュボタン装入部１７に設けられた一方のストッパピン２５Ａが挿入してあり、他方のプッシュボタン２０のストッパ用孔部２５には、前記プッシュボタン装入部１７に設けられた他方のストッパピン２５Ａが挿入してある。
【００２６】
そして、一方のプッシュボタン１９の元側ばね受け部２６と他方のプッシュボタン２０の先側ばね受け部２７との間及び一方のプッシュボタン１９の先側ばね受け部２７と他方のプッシュボタン２０の元側ばね受け部２６との間に、それぞれ前記スプリング２１が介装してあり、これらのスプリング２１の付勢力により一方及び他方のプッシュボタン１９、２０は互いに離間されていて、一方及び他方のプッシュボタン１９、２０の押圧部２２が前記ボタン導出口１４から外方に突出していて、押圧部２２が傾斜凹部１３内に位置している。そして、一方及び他方のプッシュボタン１９、２０の係合部２４は互いに対向していて、これらでボタン側係合部Ｋを構成している。
【００２７】
また、中留本体１０の側壁部１２のバンド長手方向に沿う一端部（右端部）にはピン孔２８が形成してあり、中留本体１０の側壁部１２には図２に示すように先かん駒２９と連結駒３０とがピン孔２８に取り付けたピン３１により回動可能に取り付けてあり、連結駒３０には前記中折れ部材１の一方の中板部材３の右端部がピン３２により取り付けてある。そして、先かん駒２９にはバンド部材５０が連結してある。
【００２８】
次に、上記のように構成されたプッシュ中留構造を備えた時計バンド構造を有する腕時計の装着及びこの装着の解除を説明する。
【００２９】
まず、装身具である腕時計を手首に沿わせた後に、他方の中板部材４を、これの下板部材２との連結部を支点にして、この下板部材２に重ね合わせることにより、この中板部材４を中板挿入用孔部５Ａに嵌合する。
【００３０】
そして、一方の中板部材３を、これの下板部材２との連結部を支点にして、この下板部材２に重ね合わせることにより、この中板部材３を下板部材２の中板挿入用孔部５Ｂに嵌合して、下板部材２に設けた係合ピン６を、ケースの挿入孔１８に挿入し、この係合ピン６を前記ボタン側係合部Ｋ、すなわち一方及び他方の前記プッシュボタン１９、２０の互いに対向する係合部２４に係合して、前記腕時計を手首に装着する。
【００３１】
前記係合ピン６の係合部２４への係合は、この係合ピン６の端部の傘部６ｂで、一方及び他方の前記プッシュボタン１９、２０の係合部２４間をバンド短手方向に互いに離間するように押し開き、係合ピン６の軸部６ａが挿入されると一方及び他方の前記プッシュボタン１９、２０の係合部２４が前記スプリング２１の付勢力により閉じて係合ピン６の軸部６ａに係合することで行われる。
【００３２】
また、前記腕時計を手首から外す場合には、一方及び他方のプッシュボタン１９、２０の押圧部２２を親指と人差し指で挟んで内側に押すことにより、一方及び他方のプッシュボタン１９、２０を前記スプリング２１に抗して移動させることにより前記係合部２４間を開いて係合ピン６との係合を解除し、一方の中板部材３を外に開いて前記係合ピン６を挿入孔１８より抜き出し、他方の中板部材４を外に開いて、携帯者の手首から外す。
【００３３】
一方及び他方のプッシュボタン１９、２０の押圧部２２は傾斜凹部１３内に位置しており、この傾斜凹部１３は、表面部１１との角部１２ａ側から側壁部１２の端部１２ｂ側に向かってバンド長手方向にスカートのように末広がりに広がり、且つ前記角部１２ａ側から側壁部１２の端部１２ｂ側に向かってバンド短手方向に傾斜する三次元的な凹部であるために、押圧部２２を指で押すと、傾斜凹部１３の傾斜に沿って押圧部２２を押すことができるため、必要量のボタン操作が可能になる。
【００３４】
また、一方及び他方のプッシュボタン１９、２０の押圧部２２は傾斜凹部１３内に位置するために、これらプッシュボタン１９、２０の押圧部２２が、中留本体１０の両側の側壁部１２から出っ張ることがない。したがって、装身具の携帯時に、プッシュボタン１９、２０の押圧部２２が物に当たって、プッシュボタン１９、２０が押されるという事故を防ぐことができる。このために、従来例の装身具の中留構造が備える枠体が不要になって、部品点数が少なくなるばかりか、デザインを向上させることができる。
【００３５】
（第２の実施例）
本発明の第２の実施例を図８及び図９に示す。この本発明の第２の実施例にあっては、時計バンド構造に、中留坦持手段としてのシングル・ロックタイプのプッシュ中留を使用している。このシングル・ロックタイプの中留構造におけるプッシュ中留機構Ａは、中留本体４０と、プッシュボタン機構部４１と、表板４３とから大略構成してある。
【００３６】
そして、中留本体４０の両側壁部４４の外面には、中留本体４０の表面部４６との角部４４ａ側から側壁部４４の端部４４ｂ側に向かってバンド長手方向にスカートのように末広がりに広がり、且つ前記角部４４ａ側から側壁部４４の端部４４ｂ側に向かってバンド短手方向に傾斜する三次元的な傾斜凹部４７が形成してある。中留本体４０にはバンド短手方向にプッシュボタン装入部４５が形成してあり、このプッシュボタン装入部４５は両側壁部４４に開口している。
【００３７】
そして、中留本体４０の表面部４６には凹部４８が形成してあり、この凹部４８には、プッシュボタン装入部４５に抜ける孔部４９が設けてあり、プッシュボタン装入部４５内には対角位置にストッパピン５７、５８が設けてある。
【００３８】
プッシュボタン機構部４１は一方及び他方のプッシュボタン５４、５５と、２個のスプリング５６とを備えており、一方及び他方のプッシュボタン５４、５５は、端部には押圧部５４Ａが、先部の一端側には切欠き部６３がそれぞれ形成してあって、この切欠き部６３の先側に円弧形状の係合部５９とストッパピン受部６０とがそれぞれ形成してあり、また、一方及び他方のプッシュボタン５４、５５には、一端側に位置する元側ばね受け部６１と他端側に位置する先側ばね受け部６２とが形成してある。
【００３９】
プッシュボタン装入部４５には、一端側から一方のプッシュボタン５４が、他端側から他方のプッシュボタン５５がそれぞれ挿入してあって、一方のプッシュボタン５４の元側ばね受け部６１と他方のプッシュボタン５５の先側ばね受け部６２との間及び一方のプッシュボタン５６の先側ばね受け部６２と他方のプッシュボタン５５の元側ばね受け部５１との間に、それぞれ前記スプリング５６が介装してあり、これらのスプリング５６の付勢力により一方及び他方のプッシュボタン５４、５５は互いに離間されていて、一方のプッシュボタン５４は、そのストッパー受部６０でストッパピン５７に、他方のプッシュボタン５５は、そのストッパー受部６０でストッパピン５８にそれぞれ当接している。
【００４０】
そして、一方及び他方のプッシュボタン５４、５５の押圧部５４Ａが前記プッシュボタン装入部４５の、両側壁部４４への開口４５ａから外方に突出していて、押圧部５４Ａが傾斜凹部４７内に位置している。そして、一方及び他方のプッシュボタン５４、５５の係合部５９は互いに対向していて、これらでボタン側係合部Ｋを構成している。
【００４１】
そして、中留本体４０のバンド長手方向の左端部には駒取付部６６が、右端部には表板取付部６７がそれぞれ形成してあり、駒取付部６６には取付用ピン孔６６Ａが形成してある。また、表板取付部６７には取付用ピン孔６７Ａが形成してあり、この取付用ピン孔６７Ａの端部にはばね装着部６５が形成してある。このばね装着部６５には捩じりばね６８が設けてあり、この捩じりばね６８の一端部がばね装着部６５に係止してある。
【００４２】
そして、表板取付部６７には、その取付用ピン孔６７Ａに挿入された取付ピン６９により表板４３の基端部が枢着してあり、この表板４３に捩じりばね６８の他端部が係止してあって、この表板４３は捩じりばね６８により開く方向に付勢されている。そして、表板４３の裏側の先寄りには係合ピン７０が設けてある。この係合ピン７０は軸部７０ａの先端に傘部７０ｂを形成したものである。そして、中留本体４０の駒取付部６６にはバンド部材５１の先かん駒７１が連結ピン６９Ａにより連結してある。また、一方のバンド部材５０の先かん駒７２には引掛け棒７３が設けてある。
【００４３】
次に、上記のように構成されたプッシュ中留構造を備えた時計バンド構造を有する腕時計の装着及びこの装着の解除を説明する。
【００４４】
まず、装身具である腕時計を手首に沿わせた後に、前記表板４３に引掛け棒７３を引掛けて、この表板４３を捩じりばね６８に抗して中留本体４０の表面部４６側に折り畳み、この表板４３を凹部４８に嵌合する。
【００４５】
そして、表板４３に設けた係合ピン７０を孔部４９に挿入し、この係合ピン７０を前記ボタン側係合部Ｋ、すなわち一方及び他方の前記プッシュボタン５４、５５の互いに対向する係合部５９に係合して、前記腕時計を手首に装着する。
【００４６】
また、前記腕時計を手首から外す場合には、一方及び他方のプッシュボタン５４、５５の押圧部５４Ａを親指と人差し指で挟んで内側に押すことにより、一方及び他方のプッシュボタン５４、５５を前記スプリング５６に抗して移動させることにより前記係合部５９間を開いて係合を解除し、表板４３を外に開いて前記係合ピン７０を孔部４９より抜き出して携帯者の手首から外す。
【００４７】
一方及び他方のプッシュボタン５４、５５の押圧部５４Ａは傾斜凹部４７内に位置しており、この傾斜凹部４７は、中留本体４０の表面部４６との角部４４ａ側から側壁部４４の端部４４ｂ側に向かってバンド長手方向にスカートのように末広がりに広がり、且つ前記角部４４ａ側から側壁部４４の端部４４ｂ側に向かってバンド短手方向に傾斜する三次元的な凹部であるために、押圧部５４Ａを指で押すと、傾斜凹部４７の傾斜に沿って押圧部５４Ａを押すことができるため、必要量のボタン操作が可能になる。
【００４８】
また、一方及び他方のプッシュボタン５４、５５の押圧部５４Ａは傾斜凹部４７内に位置するために、これらプッシュボタン５４、５５の押圧部５４Ａが、中留本体４０の両側の側壁部４４から出っ張ることがない。したがって、装身具の携帯時に、プッシュボタン５４、５５の押圧部５４Ａが物に当たって、プッシュボタン５４、５５が押されるという事故を防ぐことができる。このために、従来例の装身具の中留構造が備える枠体が不要になって、部品点数が少なくなるばかりか、デザインを向上させることができる。
【００４９】
（第３の実施例）
本発明の第３の実施例を図１０乃至図１２に示す。この本発明の第３の実施例にあっては、時計バンド構造に中留坦持手段としの二つ折れタイプのプッシュ中留を使用している。すなわち、本発明に係わる中留構造を組み付けた装身具である時計バンド構造は、二つ折れタイプの中折れ部材３１と、プッシュ中留機構Ａと、時計ケース（図示せず）の一方のバンド取付部（図示せず）に連結された一方の装飾帯であるバンド部材５０と、時計ケースの他方のバンド取付部（図示せず）に連結された他方の装飾帯であるバンド部材５１とから大略構成してある。
【００５０】
前記中折れ部材３１は、下板部材３２と、中板部材３３とから構成してある。すなわち、下板部材３２は手首の曲面に沿うて湾曲した短冊状の部材本体３２Ａを有しており、この部材本体３２Ａには、その表側に中板挿入用凹部３４が形成してあり、その表側に係合ピン３６が設けてある。この係合ピン３６は軸部３６ａの先端に傘部３６ｂを形成したものである。そして、下板部材３２の他方の端部には中板部材３３の他方の端部が連結ピン３７により折曲可能に連結してあり、下板部材３２の右端部には連結駒９９がピン１００で取り付けてあり、この連結駒９９に一方のバンド部材５０が連結してある。
【００５１】
前記プッシュ中留機構Ａは、表カバーを兼用する中留本体３５と、プッシュボタン機構部３８とを有している。中留本体３５には、四角形状の表面部８０のバンド短手方向の両側部に、バンド長手方向に沿う側壁部８１が形成してあり、これらの側壁部８１の外面には、その中央部において表面部８０との角部８１ａ側から側壁部８１の端部８１ｂ側に向かってバンド長手方向にスカートのように末広がりに広がり、且つ前記角部８１ａ側から側壁部８１の端部８１ｂ側に向かってバンド短手方向に傾斜する三次元的な傾斜凹部８２が形成してある。この傾斜凹部８２により前記角部８１ａは平面視で円弧状に抉れて円弧部８２ａが形成してある。そして、中留本体３５の側壁部８１に矩形状のボタン導出口８３が形成してある。
【００５２】
そして、中留本体３５の側壁部８１間にはボックス状のケース８４が装着してある。このケース８４は、そのバンド短手方向の両端部が開口しており、このケース８４の内部がプッシュボタン装入部８５に成されていて、ケース８４の両端部の開口部８４ａがボタン導出口８３に一致している。また、ケース８４の裏面部には挿入孔８６が設けてある。そして、前記中留本体３５の内部は、この内部へのケース８４の装着によりバンド長手方向に抜けるバンド挿通空間Ｈが形成されている。
【００５３】
前記プッシュボタン機構部３８は一方及び他方のプッシュボタン８７、８８と、２個のスプリング８９とを備えており、一方及び他方のプッシュボタン８７、８８は、端部には押圧部９０が、先部の一端側には切欠き部９１がそれぞれ形成してあって、この切欠き部９１の先側に円弧形状の係合部９２が、切欠き部９１の元側にはストッパ部９３がそれぞれ形成してあり、また、一方及び他方のプッシュボタン８７、８８には、一端側に位置する元側ばね受け部９４と他端側に位置する先側ばね受け部９５とが形成してある。
【００５４】
そして、プッシュボタン装入部８５には、一端側から一方のプッシュボタン８７が、他端側から他方のプッシュボタン８８がそれぞれ挿入してあって、一方のプッシュボタン８７の元側ばね受け部９４と他方のプッシュボタン８８の先側ばね受け部９５との間及び一方のプッシュボタン８７の先側ばね受け部９５と他方のプッシュボタン８８の元側ばね受け部９４との間に、それぞれ前記スプリング８９が介装してあり、これらのスプリング８９の付勢力により一方及び他方のプッシュボタン８７、８８は互いに離間されていて、一方及び他方のプッシュボタン８７、８８の押圧部９０が前記ボタン導出口８３から外方に突出していて、押圧部９０が傾斜凹部８２内に位置している。
【００５５】
そして、一方及び他方のプッシュボタン８７、８８のストッパ部９３は、前記ケース８４の両端部の開口部８４ａの絞り縁部８４ｂに当接している。そして、一方及び他方のプッシュボタン８７、８８の係合部９２は互いに対向していて、これらでボタン側係合部Ｋを構成している。
【００５６】
また、中留本体３５の両側壁部８１にはピン孔９６が形成してあり、この中留本体３５の側壁部８１には、中折れ部材３１の中板部材３３の一方の端部がピン９７により取り付けてある。また、中板部材３３の一方の端部にはピン９７により突棒９８が揺動可能に取り付けてあり、この突棒９８は前記バンド挿通空間Ｈ内に位置している。
【００５７】
次に、上記のように構成されたプッシュ中留構造を備えた時計バンド構造を有する腕時計の装着及びこの装着の解除を説明する。
【００５８】
まず、他方のバンド部材５１を前記バンド挿通空間Ｈに挿通して、このバンド部材５１の所定の係止孔５１Ｂに突棒９８を挿入係止し、この状態で、装身具である腕時計が成す環に手首を挿入して、下板部材３２を手首に沿わせた後に、中板部材３３を、これの下板部材３２との連結部を支点にして、下板部材３２に重ね合わせることにより、この中板部材３３を中板挿入用凹部３４に嵌合する。
【００５９】
そして、下板部材３２に設けた係合ピン７０を、ケースの挿入孔８６に挿入し、この係合ピン７０を前記ボタン側係合部Ｋ、すなわち一方及び他方の前記プッシュボタン８７、８８の互いに対向する係合部９２に係合して、前記腕時計を手首に装着する。
【００６０】
また、前記腕時計を手首から外す場合には、一方及び他方のプッシュボタン８７、８８の押圧部９０を親指と人差し指で挟んで内側に押すことにより、一方及び他方のプッシュボタン８７、８８を前記スプリング８９に抗して移動させることにより前記係合部９２間を開いて係合ピン３６との係合を解除し、中板部材３３を外に開いて前記係合ピン３６を挿入孔８６より抜き出し、中板部材３３を外に開いて、携帯者の手首から外す。
【００６１】
一方及び他方のプッシュボタン８７、８８の押圧部９０は傾斜凹部８２内に位置しており、この傾斜凹部８２は、表面部８０との角部８１ａ側から側壁部８１の端部８１ｂ側に向かってバンド長手方向にスカートのように末広がりに広がり、且つ前記角部８１ａ側から側壁部８１の端部８１ｂ側に向かってバンド短手方向に傾斜する三次元的な凹部であるために、押圧部９０を指で押すと、傾斜凹部８２の傾斜に沿って押圧部９０を押すことができるため、必要量のボタン操作が可能になる。
【００６２】
また、一方及び他方のプッシュボタン８７、８８の押圧部９０は傾斜凹部８２内に位置するために、これらプッシュボタン８７、８８の押圧部９０が、中留本体３５の両側の側壁部８１から出っ張ることがない。したがって、装身具の携帯時に、プッシュボタン８７、８８の押圧部９０が物に当たって、プッシュボタン８７、８８が押されるという事故を防ぐことができる。このために、従来例の装身具の中留構造が備える枠体が不要になって、部品点数が少なくなるばかりか、デザインを向上させることができる。
【００６３】
（第４の実施例）
本発明の第４の実施例を図１３に示す。この本発明の第４の実施例にあっては、時計バンド構造に、中留坦持手段として三つ折れタイプのプッシュ中留を使用している。すなわち、本発明に係わる中留構造を組み付けた装身具である時計バンド構造は、三つ折れタイプの中折れ部材１０１と、プッシュ中留機構Ａと、時計ケース（図示せず）の一方のバンド取付部（図示せず）に連結された一方の装飾帯であるバンド部材５０と、時計ケースの他方のバンド取付部（図示せず）に連結された他方の装飾帯であるバンド部材５１とから大略構成してある。
【００６４】
前記中折れ部材１０１は、下板部材１０２と、中板部材１０３とから構成してある。すなわち、下板部材１０２は手首の曲面に沿うて湾曲した短冊状の部材本体１０２Ａを有しており、この部材本体１０２Ａには、その表側に中板挿入用凹部１０４が形成してあり、その表側の左寄りに係合ピン１０６が設けてある。この係合ピン１０６は軸部１０６ａの先端に傘部１０６ｂを形成したものである。そして、下板部材１０２の右端部には中板部材１０３の左端部が連結ピン１０７により折曲可能に連結してあり、下板部材１０２の左端部には連結駒１０９がピン１１０で取り付けてあり、この連結駒１０９に一方のバンド部材５０が連結してある。
【００６５】
前記プッシュ中留機構Ａは、上記した本発明の第１の実施例におけるプッシュ中留機構Ａと大略同構成であるので、プッシュ中留機構Ａを表示した図３乃至図７を参照して、同じ部材には同一符号を付して説明を省略する。
【００６６】
そして、前記プッシュ中留機構Ａの表カバーを兼用する中留本体１０の側壁部１２の外面には、その中央部において表面部１１との角部１２ａ側から側壁部１２の端部１２ｂ側に向かってバンド長手方向にスカートのように末広がりに広がり、且つ前記角部１２ａ側から側壁部１２の端部１２ｂ側に向かってバンド短手方向に傾斜する三次元的な傾斜凹部１３が形成してある。この傾斜凹部１３により前記角部１２ａは平面視で円弧状に抉れて円弧部１３ａが形成してある。そして、中留本体１０の側壁部１２の中央部に矩形状のボタン導出口１４が形成してある。
【００６７】
そして、中留本体１０の側壁部１２のバンド長手方向の両端部（左、右端部）にはピン孔１１１、１１２が形成してあり、中留本体１０の側壁部１２の左端部には、前記中折れ部材１０１の中板部材１０３の右端部が、ピン孔１１１に挿通したピン１１３により取り付けてあり、中留本体１０の側壁部１２の右端部には、連結駒１０９Ａがピン孔１１２に挿通したピン１１４により回動可能に取り付けてあり、この連結駒１０９Ａにはバンド部材５１が連結してある。
【００６８】
次に、上記のように構成されたプッシュ中留構造を備えた時計バンド構造を有する腕時計の装着及びこの装着の解除を説明する。
【００６９】
まず、装身具である腕時計を手首に沿わせた後に、中板部材１０３を、これの下板部材１０２との連結部を支点にして、この下板部材１０２に重ね合わせることにより、この中板部材１０３を中板挿入用凹部１０４に嵌合する。
【００７０】
そして、下板部材１０２に設けた係合ピン１０６を、ケースの挿入孔１８に挿入し、この係合ピン１０６を前記ボタン側係合部Ｋ、すなわち一方及び他方の前記プッシュボタン１９、２０の互いに対向する係合部２４に係合して、前記腕時計を手首に装着する。
【００７１】
また、前記腕時計を手首から外す場合には、一方及び他方のプッシュボタン１９、２０の押圧部２２を親指と人差し指で挟んで内側に押すことにより、一方及び他方のプッシュボタン１９、２０を前記スプリング２１に抗して移動させることにより前記係合部２４間を開いて係合を解除し、中板部材１０３を外に開いて前記係合ピン１０６を挿入孔１８より抜き出し、携帯者の手首から外す。
【００７２】
一方及び他方のプッシュボタン１９、２０の押圧部２２は傾斜凹部１３内に位置しており、この傾斜凹部１３は、表面部１１との角部１２ａ側から側壁部１２の端部１２ｂ側に向かってバンド長手方向にスカートのように末広がりに広がり、且つ前記角部１２ａ側から側壁部１２の端部１２ｂ側に向かってバンド短手方向に傾斜する三次元的な凹部であるために、押圧部２２を指で押すと、傾斜凹部１３の傾斜に沿って押圧部２２を押すことができるため、必要量のボタン操作が可能になる。
【００７３】
また、一方及び他方のプッシュボタン１９、２０の押圧部２２は傾斜凹部１３内に位置するために、これらプッシュボタン１９、２０の押圧部２２が、中留本体１０の両側の側壁部１２から出っ張ることがない。したがって、装身具の携帯時に、プッシュボタン１９、２０の押圧部２２が物に当たって、プッシュボタン１９、２０が押されるという事故を防ぐことができる。このために、従来例の装身具の中留構造が備える枠体が不要になって、部品点数が少なくなるばかりか、デザインを向上させることができる。
【００７４】
なお、上記した第１〜第４実施例における装身具の中留構造においては、そのプッシュボタン機構部１５、４１、３８が、一方及び他方のプッシュボタン（１９、２０）、（５４、５５）、（８７、８８）を有する両プッシュ構成であるが、プッシュボタン機構部を、片方のみにプッシュボタンを有する片プッシュ構成にしてもよい。
【００７５】
【発明の効果】
以上説明したように、請求項１の発明に係わる装身具の中留構造によれば、係合部材とこの係合部材に係脱可能に係合する中留本体とを坦持する中留坦持手段と、前記中留本体に設けられたプッシュボタンの押圧部を内側に押すことにより前記係合部材との係合を解除するプッシュボタン機構部とを備えた装身具の中留構造において、前記中留本体の装身具長手方向に沿う側壁部の外面に、前記中留本体の表面部と接する角部側から前記側壁部の端部側に向かって装身具長手方向にスカートのように末広がりに広がり、且つ前記角部側から前記側壁部の端部側に向かって装身具短手方向に傾斜する三次元の傾斜凹部を形成し、前記中留本体の前記側壁部に、前記傾斜凹部内に位置するボタン導出口を形成して、前記ボタン導出口より前記プッシュボタンの前記押圧部を突出させたことにより、プッシュボタンの押圧部は傾斜凹部内に位置するために、これらプッシュボタンの押圧部が中留本体の側壁部から出っ張ることがない。したがって、装身具の携帯時に、プッシュボタンの押圧部が物に当たって、プッシュボタンが押されるという事故を防ぐことができる。このために、従来例の装身具の中留構造が備える枠体が不要になって、部品点数が少なくなるばかりか、デザインを向上させることができる。
【００７６】
しかも、傾斜凹部は、前記中留本体の表面部と接する角部側から前記側壁部の端部側に向かって装身具短手方向に傾斜する凹部であるために、押圧部を指で押すと、傾斜凹部の傾斜に沿って押圧部を押すことができるため、必要量のボタン操作が可能になる。更に、前記傾斜凹部が、上記した三次元の凹部であることにより、押圧部を指で押すと、三次元の傾斜凹部の傾斜に沿って押圧部を押すことができるため、より確実に必要量のボタン操作が可能になる。
【００７７】
また、請求項２の発明に係わる装身具の中留構造によれば、請求項１記載の装身具の中留構造において、前記三次元の傾斜凹部は、前記中留本体の装身具長手方向に沿う両側壁部の外面に設けられているので、腕時計を手首から外す場合、一方及び他方のプッシュボタンの押圧部を親指と人差し指で挟んで内側に押すことがより安定して三次元の傾斜凹部の傾斜に沿って押圧部を押すことができるため、より確実に必要量のボタン操作が可能になる。
【００７８】
また、請求項３の発明に係わる装身具の中留構造によれば、請求項１又は請求項２記載の装身具の中留構造において、前記プッシュボタンの前記押圧部が、前記中留本体の前記側壁部の外面より突出していないことにより、上記した請求項１の発明の効果と同様な効果を奏し得るばかりか、プッシュボタンの押圧部の、中留本体の側壁部から出っ張る量は皆無であり、装身具の携帯時に、プッシュボタンの押圧部が物に当たって、プッシュボタンが押されるという事故をより確実に防ぐことができる。このために、従来例の装身具の中留構造が備える枠体が不要になって、部品点数が少なくなるばかりか、デザインを向上させることができる。
【００７９】
また、請求項４の発明に係わる装身具の中留構造によれば、請求項１又は請求項２又は請求項３記載の装身具の中留構造において、前記中留坦持手段が、シングルプッシュ中留、二つ折れプッシュ中留、三つ折れプッシュ中留、観音開きプッシュ中留のいずれかであることにより、上記した請求項１の発明の効果と同様な効果を奏し得るばかりか、従来の中留構造とほぼ同じ製品化が可能になる。
【図面の簡単な説明】
【図１】本発明に係わる装身具の中留構造の第１の実施例の斜視図である。
【図２】同中留構造の断面図である。
【図３】図３のＸ−Ｘ線に沿う断面図である。
【図４】図３のＹ−Ｙ線に沿う断面図である。
【図５】同中留構造の中留本体の平面図である。
【図６】同中留本体の正面図である。
【図７】図５のＺ−Ｚ線に沿う断面図である。
【図８】本発明に係わる装身具の中留構造の第２の実施例の斜視図である。
【図９】同中留構造のプッシュ中留構造の横断面図である。
【図１０】本発明に係わる装身具の中留構造の第３の実施例の斜視図である。
【図１１】本発明に係わる装身具の中留構造の第３の実施例の横断面図である。
【図１２】同中留構造の縦断面図である。
【図１３】本発明に係わる装身具の中留構造の第４の実施例の斜視図である。
【符号の説明】
１０  中留本体
１１  表面部
１２  側壁部
１２ａ  角部
１２ｂ  端部
１３  傾斜凹部
１４  ボタン導出口
１９、２０  プッシュボタン
２２  押圧部
【図１】
0003710887.tif 000002
【図２】
0003710887.tif 000003
【図３】
0003710887.tif 000004
【図４】
0003710887.tif 000005
【図５】
0003710887.tif 000006
【図６】
0003710887.tif 000007
【図７】
0003710887.tif 000008
【図８】
0003710887.tif 000009
【図９】
0003710887.tif 000010
【図１０】
0003710887.tif 000011
【図１１】
0003710887.tif 000012
【図１２】
0003710887.tif 000013
【図１３】
0003710887.tif 000014